(57)【要約】【課題】商品を展示可能であって、かつ、商品見本を展示した場合に商品見本の見映えを損なうことがない自動販売機の商品見本展示装置を提供すること。【解決手段】商品見本の下面からさらに下方に延在した商品見本収容部を収容する収容穴と、収容穴に連接され、商品見本収容部から径外方向に延在した商品見本係止部を収容する収容溝とを上面に形成したディスプレイ台と、商品を保持可能であって、下面に前記収容穴に収容可能なアタッチメント収容部８１ａと、アタッチメント収容部８１ａから径外方向に延在し、収容溝に収容可能なアタッチメント係止部８１ｂとを有した商品展示用アタッチメント８とを備え、収容穴にアタッチメント収容部８１ａを収容するとともに収容溝にアタッチメント係止部８１ｂを収容した後に、商品展示用アタッチメント８を回動させることにより、ディスプレイ台に商品展示用アタッチメント８を取り付けるようにした。【選択図】        図６
2008234334.tif 000002
【特許請求の範囲】
【請求項１】
商品を保持した状態で自動販売機のディスプレイ台に取り付けられる商品展示用アタッチメントであって、
商品見本の下面からさらに下方に延在した商品見本収容部を収容するディスプレイ台の収容穴に収容可能なアタッチメント収容部と、
前記商品見本収容部から径外方向に延在する商品見本係止部を収容するディスプレイ台の収容溝に収容可能であって、前記アタッチメント収容部から径外方向に延在し、前記ディスプレイ台の収容穴の縁部に係止されるアタッチメント係止部と
を備えたことを特徴とする商品展示用アタッチメント。
【請求項２】
商品見本の下面からさらに下方に延在した商品見本収容部を収容する収容穴と、該収容穴に連接され、商品見本収容部から径外方向に延在した商品見本収容部を収容する収容溝とを上面に形成したディスプレイ台と、
商品を保持可能であって、下面に前記収容穴に収容可能なアタッチメント収容部と、前記アタッチメント収容部から径外方向に延在し、前記収容溝に収容可能なアタッチメント係止部とを有した商品展示用アタッチメントと
を備え、
前記収容穴に前記アタッチメント収容部を収容するとともに前記収容溝に前記アタッチメント係止部を収容した後に、商品展示用アタッチメントを回動させることにより、アタッチメント係止部と収容穴の縁部とが係止され、前記ディスプレイ台に前記アタッチメントが取り付けられたことを特徴とする自動販売機の商品見本展示装置。
【請求項３】
前記商品展示用アタッチメントが白色又は無色透明であることを特徴とする請求項２に記載の自動販売機の商品見本展示装置。
【発明の詳細な説明】
【技術分野】
【０００１】
本発明は、自動販売機の前面に画成された展示室に商品を展示する際に用いられる商品展示用アタッチメント、及び商品を展示する自動販売機の商品見本展示装置に関するものである。
【背景技術】
【０００２】
缶入り飲料、ビン入り飲料、あるいはペットボトル入り飲料等の商品を販売する自動販売機は、自動販売機の前面（たとえば、外扉）に外部から透視可能な展示室を画成し、この展示室にダミー缶と称される商品見本を展示している。
【０００３】
ところで、新たに市場に投入された商品を自動販売機で販売する場合等には、商品があるにも拘わらず、商品見本がないという事態が生じうる。このような場合には、商品見本に代えて商品そのものあるいは商品の容器（例えば空き缶）を展示することにより、利用者に商品を周知させることにしている。
【０００４】
このように、商品見本のほか商品（商品の容器を含む）を展示室に展示可能とする商品見本展示装置が提案されている。この商品見本展示装置に展示される商品見本は、下面からさらに下方に延在した商品見本収容部と、商品見本収容部から径外方向に延在する一対の商品見本係止部とを有している。一方、商品見本展示装置を構成するディスプレイ台には、商品見本収容部を収容するための収容穴と、収容穴に連設し、商品見本係止部を収容する一対の収容溝とが形成されている。このように収容穴と収容溝を形成したディスプレイ台に商品見本収容部と商品見本係止部とを有した商品見本を取り付ける場合には、商品見本係止部をディスプレイ台の収容溝に合わせ、商品見本収容部をディスプレイ台の収容穴に商品見本係止部をディスプレイ台の収容溝に収容させた後、商品見本を回動させることにより、商品見本係止部をディスプレイ台の収容穴の縁部に係止させればよい。
【０００５】
また、ディスプレイ台の背面に、商品を保持する保持具を取り付け可能とした取付板が設けてあり、商品を保持したアタッチメントを取付板に取り付ければ、ディスプレイ台上に商品を展示することもできる（例えば、特許文献１参照）。
【０００６】
【特許文献１】特開平１０−７９０７８号公報
【発明の開示】
【発明が解決しようとする課題】
【０００７】
しかしながら、上述した自動販売機の商品見本展示装置は、商品を保持させる必要が生じるか否かに関わらず、ディスプレイ台に取付板を設ける必要があることからコストアップとなり、また、商品見本を取り付けた場合には商品見本の背景に取付板が映ることになると共に透明な容器からなる商品の場合には取付板が透けて見えることになり、見映えを損なうことになる。
【０００８】
本発明は、上記実情に鑑みて、ディスプレイ台に特別な細工を施さなくても商品見本に代えて商品を展示可能な商品展示用アタッチメント、及び自動販売機の商品見本展示装置を提供することを目的とする。
【課題を解決するための手段】
【０００９】
上記の目的を達成するために、本発明の請求項１に係る商品展示用アタッチメントは、商品を保持した状態で自動販売機のディスプレイ台に取り付けられる商品展示用アタッチメントであって、商品見本の下面からさらに下方に延在した商品見本収容部を収容するディスプレイ台の収容穴に収容可能なアタッチメント収容部と、前記商品見本収容部から径外方向に延在する商品見本係止部を収容するディスプレイ台の収容溝に収容可能であって、前記アタッチメント収容部から径外方向に延在し、前記ディスプレイ台の収容穴の縁部に係止されるアタッチメント係止部とを備えたことを特徴とする。
【００１０】
また、本発明の請求項２に係る自動販売機の商品見本展示装置は、商品見本の下面からさらに下方に延在した商品見本収容部を収容する収容穴と、該収容穴に連接され、商品見本収容部から径外方向に延在した商品見本収容部を収容する収容溝とを上面に形成したディスプレイ台と、商品を保持可能であって、下面に前記収容穴に収容可能なアタッチメント収容部と、前記アタッチメント収容部から径外方向に延在し、前記収容溝に収容可能なアタッチメント係止部とを有した商品展示用アタッチメントとを備え、前記収容穴に前記アタッチメント収容部を収容するとともに前記収容溝に前記アタッチメント係止部を収容した後に、商品展示用アタッチメントを回動させることにより、アタッチメント係止部と収容穴の縁部とが係止され、前記ディスプレイ台に前記アタッチメントが取り付けられたことを特徴とする。
【００１１】
また、本発明の請求項３に係る自動販売機の商品見本展示装置は、上記請求項２において、前記商品展示用アタッチメントが白色又は無色透明であることを特徴とする。
【発明の効果】
【００１２】
本発明に係る商品展示用アタッチメントは、商品見本を取り付けるためにディスプレイ台に設けられた収容穴に収容されるアタッチメント収容部と、収容穴に連接された収容溝に収容され、収容穴の縁部に係止されるアタッチメント係止部とを備えたので、ディスプレイ台に設けられた収容穴と収容溝とを利用して、商品展示用アタッチメントを取り付けることができる。この商品展示用アタッチメントを用いれば、ディスプレイ台に特別な細工を施してなくても、商品見本に代えて商品をディスプレイ台に展示することができる。したがって、コストの低減を図ることができると共に商品見本を展示した場合であっても見映えを損なうことがない。
【００１３】
本発明に係る自動販売機の商品見本展示装置は、商品見本の下面からさらに下方に延在した商品見本収容部を収容する収容穴と、収容穴に連接され、商品見本収容部から径外方向に延在した商品見本係止部を収容する収容溝とを上面に形成したディスプレイ台と、商品を保持可能であって、下面に前記収容穴に収容可能なアタッチメント収容部と、アタッチメント収容部から径外方向に延在し、収容溝に収容可能なアタッチメント係止部とを有した商品展示用アタッチメントとを備え、収容穴にアタッチメント収容部を収容するとともに収容溝にアタッチメント係止部を収容した後に、商品展示用アタッチメントを回動させることにより、アタッチメント係止部と収容穴の縁部とが係止され、ディスプレイ台にアタッチメントが取り付けられる。ディスプレイ台に設けた商品見本を取り付けるための収容穴と収容溝を用いて商品展示用アタッチメントを取りつけることにより、商品を展示することができる。したがって、商品見本を展示した場合であっても見映えを損なうことがない。
【００１４】
本発明に係る自動販売機の商品見本展示装置は、商品展示アタッチメントを白色又は無色透明とすることにより、容器が透明な商品を展示する場合に商品展示アタッチメントが透けて見えても見映えを損なうことがない。
【発明を実施するための最良の形態】
【００１５】
以下に添付図面を参照して、本発明に係る商品展示用アタッチメント、及び商品見本展示装置の好適な実施の形態を詳細に説明する。なお、この実施の形態によりこの発明が限定されるものではない。
【００１６】
図１は本発明の実施の形態である商品見本展示装置を適用した自動販売機を示す正面図、図２は図１に示した自動販売機の構造を示す斜視図である。図１に示すように、本実施の形態である自動販売機１は、缶入り飲料、ペットボトル入り飲料、あるいはビン入り飲料等の商品を冷やした状態で販売したり、温めた状態で販売したりする自動販売機に好適なものである。
【００１７】
図１及び図２に示すように、本発明の実施の形態である商品見本展示装置７を適用した自動販売機は、本体キャビネット３を備えている。本体キャビネット３は、複数の鋼材を適宜組み合わせることにより構成したもので、図２に示すように、前面が開口した箱状を呈している。
【００１８】
図２に示すように、本体キャビネット３の左側縁部には、内扉４と外扉５とが支承してある。内扉４は、断熱材によって構成したもので、本体キャビネット３の前面開口を開閉すべく、本体キャビネット３と外扉５との間に配設してある。
【００１９】
外扉５の前面には、硬貨投入口５１、紙幣挿入口５２、返却レバー５３、返却口５４、商品取出口５５が配設してあり、上部域には、展示室６が画成されている。展示室６は、外扉５の後方側に開閉可能に取り付けた中扉６１と外扉の前面側に嵌め込んだ透明な電照板６２とにより画成され、利用者が自動販売機１の前面側から展示室６の内部を視認できるようになっている。
【００２０】
展示室６を画成する中扉６１の上方域は商品展示部６３として使用され、下方域は広告部６４として使用される。商品展示部６３には、本発明の実施の形態である商品見本展示装置７が上下方向に三段並べて配設してあり、広告部６４には、商品を広告するポスター等が展示してある。
【００２１】
図３は商品見本と商品見本を取り付ける商品見本取付穴とを示す斜視図、図４は図１に示した商品見本展示装置を示す正面図、図５は図４に示した商品見本展示装置の右側断面図である。この商品見本展示装置７に展示される商品見本Ｓは、自動販売機１が販売する商品、すなわち、本体キャビネット３の内部に収容する商品と同一の形態（形状、模様及び色彩の組み合わせ）を有し、図３に示すように、下面からさらに下方に延在した三つの商品見本収容部Ｓ１と、商品見本収容部Ｓ１から径外方向に延在した商品見本係止部Ｓ２とを有している。
【００２２】
一方、商品見本展示装置７を構成するディスプレイ台７１は、図５に示すように、下面が開口した箱状を呈しており、その背面を切り起こした係止片７１ａによって中扉６１に取り付けられている。また、図５に示すように、ディスプレイ台７１の左右内壁には、蛍光灯７２を取り付けるためのソケット（図示せず）が取り付けてあり、当該ソケットには蛍光灯７２が取り付けられている。
【００２３】
ディスプレイ台７１の上面には、商品見本Ｓを取り付けるための商品見本取付穴７３が所定の間隔で複数形成してある。商品見本取付穴７３は、図３に示すように、収容穴７３ａと収容溝７３ｂとから形成されている。収容穴７３ａは、商品見本収容部Ｓ１を収容する円形の穴である。収容溝７３ｂは、商品見本係止部Ｓ２を収容する溝であって、収容穴７３ａに連接され、収容穴７３ａの外周を三等分する位置から径外方向に延在するように形成してある。このように商品見本取付穴７３、すなわち、収容穴７３ａと収容溝７３ｂとが形成されたディスプレイ台７１には、商品見本Ｓが取り付けられている。すなわち、収容穴７３ａに商品見本Ｓの商品見本収容部Ｓ１を収容するとともに収容溝７３ｂに商品見本Ｓの商品見本係止部Ｓ２を収容した後に、収容穴７３ａに商品見本Ｓの商品見本収容部Ｓ１を収容した状態で商品見本Ｓを回動させることにより、商品見本Ｓの商品見本係止部が収容穴の縁部に係合され、ディスプレイ台７１に商品見本Ｓが取り付けられている。
【００２４】
図４に示すように、ディスプレイ台７１の前面には、冷温表示板７４と価格表示器７５とが取り付けてある。冷温表示板７４は、販売する商品が冷やされていること、あるいは温められていることを表示するためのもので、ディスプレイ台７１に展示された商品見本Ｓと１対１で対応するように冷温表示が印刷等してある。具体的には、商品が冷やされていることを意味する「つめたい」と、商品が温められていることを意味する「あったかい」とが冷温表示板７４に印刷等されており、いずれか一方が視認できるようになっている。
【００２５】
価格表示器７５は、販売する商品の価格を表示するためのもので、ディスプレイ台７１に展示された商品見本Ｓと１対１で対応するように価格を表示できるようになっている。価格表示器７５は商品見本Ｓと１対１で対応して価格が表示できるものであれば、冷温表示板７４等に印刷等したものであっても良いし、７セグメントＬＥＤ等により価格が表示できるものであっても良い。
【００２６】
外扉５の前面側に嵌め込んだ電照板６２には、商品選択ボタン７６が配設してある。商品選択ボタン７６は、自動販売機１の利用者が商品を選択するためのものであり、商品見本Ｓと１対１で対応するように配設してある。また、商品選択ボタン７６は、本体キャビネット３の内部に収容した商品収納ラック（図示せず）とも対応しており、商品選択ボタン７６を押下することによって販売される商品が選択されると、対応する商品収納ラックから商品が搬出されるようになっている。
【００２７】
図６は商品展示用アタッチメントを示す斜視図、図７は商品展示用アタッチメントを示す平面図、図８は商品展示用アタッチメントを二つ並べた状態を示す正面図、図９は図６に示したベース部材を前方斜め上方から見た斜視図、図１０は図６に示したベース部材を後方斜め下方から見た斜視図、図１１は図６に示したホルダ部材の一方を示す斜視図である。本発明の実施の形態である商品見本展示装置７は、商品見本Ｓに代えて、図６〜図８に示す商品展示用アタッチメント８をディスプレイ台７１の商品見本取付穴７３に取り付け可能となっている。商品展示用アタッチメント８は、商品そのもの（缶入り飲料、ビン入り飲料、ペットボトル入り飲料）あるいは商品の容器（空き缶、空ビン、ペットボトル容器）を商品見本展示装置７に展示するためのものであって、白色又は無色透明なベース部材８１、白色又は無色透明なホルダ部材８２を備えている。ここで、ベース部材８１及びホルダ部材８２を白色又は無色透明とするのは、通常、展示室６の背景が白色で形成されていること、更には透明な容器からなる商品の場合に透けて見えても見映えを損なうことがないようにしたものである。
【００２８】
ベース部材８１は、商品展示用アタッチメント８をディスプレイ台７１の商品見本取付穴７３に取り付けるための部材であって、図９及び図１０に示すように、商品見本Ｓの商品見本収容部Ｓ１に相当するアタッチメント収容部８１ａと、商品見本Ｓの商品見本係止部Ｓ２に相当するアタッチメント係止部８１ｂのほか、ホルダ部材８２を取り付けるためのホルダ取付部８１ｃを有している。
【００２９】
アタッチメント収容部８１ａは、商品見本Ｓの商品見本収容部Ｓ１と同様に、ベース部材８１の下面からさらに下方に延在した部分であって、ディスプレイ台７１の上面に設けた収容穴７３ａの外周を三等分する位置に設けてある。アタッチメント係止部８１ｂは、商品見本Ｓの商品見本係止部Ｓ２と同様に、アタッチメント収容部８１ａから径外方向に延在した部分であって、ディスプレイ台７１の上面に設けて収容溝７３ｂに収容可能であって、かつ、収容穴７３ａの縁部に係止可能である。
【００３０】
ホルダ取付部８１ｃは、ベース部材８１の後方から起立した部分である。ホルダ取付部８１ｃの高さ方向中程から上部に亘り、正面向かって左側部８１ｃＬと正面向かって右側部８１ｃＲとが後退させてあり、左側部８１ｃＬ及び右側部８１ｃＲと中央部８１ｃＭとの間に隙間が形成されている。また、ホルダ取付部８１ｃの中央部８１ｃＭの背面には、円柱状の突起８１ｄが上下に二つ並べて設けてある。なお、突起８１ｄの相互間寸法はホルダ部材８２の二分の一を超える寸法となるように設けてある。さらに、ホルダ取付部８１ｃの中央部８１ｃＭの上端部は背面側に屈曲した後に再び上方に延在することにより、ホルダ部材８２の脱落を防止するようになっている。
【００３１】
図６〜図８に示すように、ホルダ部材８２は、左右一対で構成され、各ホルダ部材８２は、ベース部材８１のホルダ取付部８１ｃ（左側部８１ｃＬ及び右側部８１ｃＲと中央部８１ｃＭとの間に形成された隙間）に挟持される取付部８２Ｌ１、８２Ｒ１と、取付部８２Ｌ１、８２Ｒ１からそれぞれ前方に延在する腕部８２Ｌ２、８２Ｒ２とを有している。一方のホルダ部材８２（図６〜図８において左側となるホルダ部材８２Ｌ）の取付部８２Ｌ１の背面には、平面視三角形状となる凹凸が形成してあり、他方のホルダ部材８２（図６〜図８において右側となるホルダ部材８２Ｒ）の取付部８２Ｒ１の前面には、平面視三角形状となる凹凸が形成してある。また、図１１に示すように、少なくとも一方のホルダ部材８２Ｌの取付部８２Ｌ１には、ベース部材８１のホルダ取付部８１ｃの中央部８１ｃＭの背面部に設けられた突起８１ｄが挿通する長穴８２ａが形成してある。そして、一方のホルダ部材８２Ｌの凹凸と他方のホルダ部材８２Ｒの凹凸とが噛み合わさった状態でベース部材８１のホルダ取付部８１ｃに挟持され、ベース部材８１のホルダ取付部８１ｃの中央部８１ｃＭの背面に形成された突起８１ｄの一方がホルダ部材８２に形成された丸穴を連結した長穴８２ａに挿通される。
【００３２】
ホルダ部材８２の腕部８２Ｌ２、８２Ｒ２は、円柱形状をした缶入り商品あるいはビン入り商品のほか、角部を面取りした四角柱形状をしたペットボトル入り商品を保持すべく、湾曲するように形成してある。
【００３３】
上述した本発明の実施の形態である商品見本展示装置（商品展示用アタッチメント８）によれば、図１２及び図１３に示すように、ディスプレイ台７１に特別な細工を施さなくても、商品見本を取り付けるための収容穴７３ａと収容穴７３ａに連接した収容溝７３ｂとを用いて商品展示用アタッチメント８を取り付けることができる。したがって、ディスプレイ台７１に商品見本Ｓを展示した場合であっても見映えを損なうことはない。
【００３４】
また、ベース部材８１の後方から起立したホルダ取付部８１ｃを構成する中央部８１ｃＭの背面に二つの突起８１ｄを設け、この突起８１ｄの一方にホルダ部材８２に設けた長穴８２ａを挿通させるので、ホルダ部材８２の上下方向の移動が規制され、ホルダ取付部８１ｃからホルダ部材８２の脱落を抑制できる。また、図８に示すように、突起８１ｄは上下に並べて設けてあるので、上の突起８１ｄを長穴８２ａに挿通させた場合には、商品高さの高い商品を保持するのに好適となり、下の突起８１ｄを長穴８２ａに挿通させた場合には、商品高さの低い商品を保持するのに好適となる。
【００３５】
また、一方のホルダ部材８２Ｌの凹凸と他方のホルダ部材８２Ｒの凹凸とが噛み合う位置を変更することができるので、商品の外径ごとに商品展示用アタッチメント８を準備することなく、商品を商品展示用アタッチメント８によって商品見本展示装置７に展示することができる。
【図面の簡単な説明】
【００３６】
【図１】本発明の実施の形態である商品見本展示装置を適用した自動販売機を示す正面図である。
【図２】図２は図１に示した自動販売機の構造を示す斜視図である。
【図３】商品見本と商品見本を取り付ける商品見本取付穴とを示す斜視図である。
【図４】図１に示した自動販売機の商品見本展示装置を示す正面図である。
【図５】図２に示した自動販売機の商品見本展示装置を示す側断面図である。
【図６】商品展示用アタッチメントを示す斜視図である。
【図７】商品展示用アタッチメントを示す平面図である。
【図８】商品展示用アタッチメントを二つ並べた状態を示す正面図である。
【図９】図６に示したベース部材を前方斜め上方から見た斜視図である。
【図１０】図６に示したベース部材を後方斜め下方から見た斜視図である。
【図１１】図６に示したホルダ部材の一方を示す斜視図である。
【図１２】商品展示用アタッチメントを用いて商品をディスプレイ台に展示した状態を示す正面図である。
【図１３】商品展示用アタッチメントを用いて商品をディスプレイ台に展示した状態を示す平面図である。
【符号の説明】
【００３７】
５    外扉
６    展示室
７    商品見本展示装置
８    商品展示用アタッチメント
６１    中扉
６２    電照板
６３    商品展示部
７１    ディスプレイ台
７２    蛍光灯
７３    商品見本取付穴
７３ａ    収容穴
７３ｂ    収容溝
７６    商品選択ボタン
８１    ベース部材
８１ａ    アタッチメント収容部
８１ｂ    アタッチメント係止部
８１ｃ    ホルダ取付部
８１ｃＬ    左側部
８１ｃＲ    右側部
８１ｃＭ    中央部
８１ｄ    突起
８２    ホルダ部材
８２Ｌ    ホルダ部材
８２Ｌ１    取付部
８２Ｌ２    腕部
８２Ｒ    ホルダ部材
８２Ｒ１    取付部
８２Ｒ２    腕部
８２ａ    長穴
Ｓ    商品見本
Ｓ１    商品見本収容部
Ｓ２    商品見本係止部
【図１】
2008234334.tif 000003
【図２】
2008234334.tif 000004
【図３】
2008234334.tif 000005
【図４】
2008234334.tif 000006
【図５】
2008234334.tif 000007
【図６】
2008234334.tif 000008
【図７】
2008234334.tif 000009
【図８】
2008234334.tif 000010
【図９】
2008234334.tif 000011
【図１０】
2008234334.tif 000012
【図１１】
2008234334.tif 000013
【図１２】
2008234334.tif 000014
【図１３】
2008234334.tif 000015